(57)【要約】      （修正有）【課題】乾式で十分な消去効果を発揮する自動黒板消去装置及び自動消去機能を備える黒板を提供する。【解決手段】黒板の縦又は横の側辺に沿った長尺状の黒板消し（ワイパ部材）をその長手方向に往復運動させながら黒板表面上を移動させることにより、消去効果を向上できる。【選択図】図１
2010005865.tif 000002
【特許請求の範囲】
【請求項１】
黒板上に設置されて当該黒板表面を消去する黒板消去装置であって、
略垂直に延伸する円柱状であり当該円柱外面に黒板消去可能な部材を有するローラ部材と、当該ローラ部材を円柱軸回りに回転駆動する回転駆動手段と、当該ローラ部材を上端側及び下端側において支持する支持手段と、当該ローラ部材の黒板に接しない部分を覆うカバー部材と、レール部材に係合可能な１又は２以上のスライダ部材とを有するワイパユニットと、
略水平方向に延伸し、前記スライダ部材各々を滑動自在に収容可能な１又は２以上のレール部材とを有する黒板消去装置において、
前記ローラ部材は、その上端及び下端付近に放射方向に突出する１又は２以上のスライドカムを有しており、
前記支持手段は、前記スライドカムを上端側及び下端側において支持する円筒状の部材であって、端縁の高さが均一ではない円筒状部材を備えており、
前記ローラ部材の回転時に、前記スライドカムが前記上端側及び下端側の円筒状部材の高さが均一でない端縁に沿って移動することにより、前記ローラ部材が上下移動することを特徴とする黒板消去装置。
【請求項２】
前記支持手段の上端側及び下端側の円筒状部材の端縁は互いに対応する波型であることを特徴とする請求項１に記載の黒板消去装置。
【請求項３】
前記支持手段の上端側及び下端側の円筒状部材の端縁は互いに対応する規則的な波型であり、前記ローラ部材は上端及び下端付近において、当該波型の周期に応じた間隔で配置された複数のスライドカムを有することを特徴とする請求項１に記載の黒板消去装置。
【請求項４】
前記ワイパユニットのカバー部材の内側面には、回転するローラの表面を清掃するためのブラシが固定されていることを特徴とする請求項１から３のいずれか１項に記載の黒板消去装置。
【請求項５】
略垂直に延伸する円柱状であり当該円柱外面に黒板消去可能な部材を有するローラ部材と、当該ローラ部材を円柱軸回りに回転駆動する回転駆動手段と、当該ローラ部材を上端側及び下端側において支持する支持手段と、当該ローラ部材の黒板に接しない部分を覆うカバー部材と、レール部材に係合可能な１又は２以上のスライダ部材とを有するワイパユニットと、
略水平方向に延伸し、前記スライダ部材各々を滑動自在に収容可能な１又は２以上のレール部材とを有する黒板であって、
前記ローラ部材は、その上端及び下端付近に放射方向に突出する１又は２以上のスライドカムを有しており、
前記支持手段は、前記スライドカムを上端側及び下端側において支持する円筒状の部材であって、端縁の高さが均一ではない円筒状部材を備えており、
前記ローラ部材の回転時に、前記スライドカムが前記上端側及び下端側の円筒状部材の高さが均一でない端縁に沿って移動することにより、前記ローラ部材が上下移動することを特徴とする黒板。
【請求項６】
前記支持手段の上端側及び下端側の円筒状部材の端縁は互いに対応する波型であることを特徴とする請求項５に記載の黒板。
【請求項７】
前記支持手段の上端側及び下端側の円筒状部材の端縁は互いに対応する規則的な波型であり、前記ローラ部材は上端及び下端付近において、当該波型の周期に応じた間隔で配置された複数のスライドカムを有することを特徴とする請求項５に記載の黒板。
【請求項８】
前記ワイパユニットのカバー部材の内側面には、回転するローラの表面を清掃するためのブラシが固定されていることを特徴とする請求項５から７のいずれか１項に記載の黒板。
【発明の詳細な説明】
【技術分野】
【０００１】
本発明は、黒板消去装置及び自動消去機能を備える黒板に関し、特に、乾式で消去を行うことができる黒板消去装置及び自動消去機能を備える黒板に関するものである。
【背景技術】
【０００２】
従来、チョーク等による黒板上の書き込みを消去するには、布製の黒板消しを用いて黒板上に付着したチョーク粉を拭い取るのが一般的であった。使用後の黒板消しは、はたいたりクリーナにかけるなどして、チョーク粉を除去している。
【０００３】
しかしながら、人手により黒板消しを用いて大型の黒板を消去するのは多大な労力を要し、チョーク粉飛散などの問題もあるため、黒板消去を自動的に行う装置が導入されている。
特許文献１には、黒板の側端に沿って設置される自動消去装置であって、ブラシ、スポンジ等で構成される回転可能な消去部材と当該消去部材に洗浄液を供給する手段とによって黒板を消去する装置が記載されている（請求項１，図１０，１３等）。
【特許文献１】特開平１１−１２３１１９号公報
【発明の開示】
【発明が解決しようとする課題】
【０００４】
特許文献１に記載の黒板自動消去装置は、洗浄液を用いた湿式の消去を行うものであり、洗浄液を貯蔵するタンク（貯留槽２０１）と、洗浄液を黒板上部まで汲み上げるためのポンプ（洗浄液ポンプ２０３）を必要とする。このため装置は大掛かりなものとならざるを得ず、相当な製造コスト、ランニングコスト、保守コストがかかってしまう。
また、湿式で黒板消去を行う場合には、消去作業後に黒板が早く乾く必要があるが、このために、加温した洗浄液を用いたり、乾燥風を吹き付けたりするとすれば、熱源を備える必要があり、装置全体がさらに大型化し、コストも増大する。
【０００５】
一方で、乾式での自動消去を行う黒板自動消去装置も提案されている。例えば、黒板の縦又は横の側辺に沿った長尺状の黒板消し（ワイパ）を黒板表面に押し付けながら移動させることにより、黒板表面に付着したチョーク粉を除去する装置などが提案され、実用化されている（図１参照）。
しかしながら、このような単調な消去動作では、黒板表面の各所に付着したチョーク粉を十分に消去することは不可能であり、結局、消去しきれない部分を手作業で消去しなければならない場合が多い。
【０００６】
本発明は、このような実情に鑑みてなされたものであり、乾式で十分な消去効果を発揮する自動黒板消去装置及び自動消去機能を備える黒板を提供しようとするものである。
【課題を解決するための手段】
【０００７】
上記解決課題に鑑みて鋭意研究の結果、本発明者は、黒板の縦又は横の側辺に沿った長尺状の黒板消し（ワイパ部材）をその長手方向に往復運動させながら黒板表面上を移動させることにより、消去効果を向上できることに想到し本発明をなすに至った。
【０００８】
すなわち、本発明は、黒板上に設置されて当該黒板表面を消去する黒板消去装置であって、略垂直に延伸する円柱状であり当該円柱外面に黒板消去可能な部材を有するローラ部材と、当該ローラ部材を円柱軸回りに回転駆動する回転駆動手段と、当該ローラ部材を上端側及び下端側において支持する支持手段と、当該ローラ部材の黒板に接しない部分を覆うカバー部材と、レール部材に係合可能な１又は２以上のスライダ部材とを有するワイパユニットと、略水平方向に延伸し、前記スライダ部材各々を滑動自在に収容可能な１又は２以上のレール部材とを有する黒板消去装置において、前記ローラ部材は、その上端及び下端付近に放射方向に突出する１又は２以上のスライドカムを有しており、前記支持手段は、前記スライドカムを上端側及び下端側において支持する円筒状の部材であって、端縁の高さが均一ではない円筒状部材を備えており、前記ローラ部材の回転時に、前記スライドカムが前記上端側及び下端側の円筒状部材の高さが均一でない端縁に沿って移動することにより、前記ローラ部材が上下移動することを特徴とする黒板消去装置を提供するものである。
【０００９】
本発明の黒板消去装置において、前記支持手段の上端側及び下端側の円筒状部材の端縁は互いに対応する波型であることを特徴とする。より好ましくは、前記支持手段の円筒状部材の端縁は互いに対応する規則的な波型であり、前記ローラ部材は当該波型の周期に応じた間隔で配置された複数のスライドカムを有することを特徴とする。
これにより、前記ローラ部材を周期的に上下運動させることができるので、ムラが少なくなり、より高い消去効果が得られる。
【００１０】
本発明の黒板消去装置において、前記ワイパユニットのカバー部材の内側面には、回転するローラの表面を清掃するためのブラシが固定されていることを特徴とする。
これにより、黒板を消去しながらローラ部材を清掃することが可能となる。
【００１１】
本発明は、また、略垂直に延伸する円柱状であり当該円柱外面に黒板消去可能な部材を有するローラ部材と、当該ローラ部材を円柱軸回りに回転駆動する回転駆動手段と、当該ローラ部材を上端側及び下端側において支持する支持手段と、当該ローラ部材の黒板に接しない部分を覆うカバー部材と、レール部材に係合可能な１又は２以上のスライダ部材とを有するワイパユニットと、略水平方向に延伸し、前記スライダ部材各々を滑動自在に収容可能な１又は２以上のレール部材とを有する黒板であって、前記ローラ部材は、その上端及び下端付近に放射方向に突出する１又は２以上のスライドカムを有しており、前記支持手段は、前記スライドカムを上端側及び下端側において支持する円筒状の部材であって、端縁の高さが均一ではない円筒状部材を備えており、前記ローラ部材の回転時に、前記スライドカムが前記上端側及び下端側の円筒状部材の高さが均一でない端縁に沿って移動することにより、前記ローラ部材が上下移動することを特徴とする黒板を提供するものである。
【００１２】
本発明の黒板において、前記支持手段の上端側及び下端側の円筒状部材の端縁は互いに対応する波型であることを特徴とする。より好ましくは、前記支持手段の円筒状部材の端縁は互いに対応する規則的な波型であり、前記ローラ部材は当該波型の周期に応じた間隔で配置された複数のスライドカムを有することを特徴とする。
これにより、前記ローラ部材を周期的に上下運動させることができるので、ムラが少なくなり、より高い消去効果が得られる。
【００１３】
本発明の黒板において、前記ワイパユニットのカバー部材の内側面には、回転するローラの表面を清掃するためのブラシが固定されていることを特徴とする。
これにより、黒板を消去しながらローラ部材を清掃することが可能となる。
【発明の効果】
【００１４】
以上、説明したように、本発明の黒板消去装置によれば、表面に黒板消去部材を有するローラ部材を回転とともにその長手方向に往復運動させながら、黒板表面上を当該ローラ部材と垂直方向に移動させることにより、ローラ部材表面が黒板表面上を十分に摺動するので、黒板表面に付着したチョーク粉を十分に拭い取ることが可能である。
また、特別な駆動手段を必要とせずにローラ部材を上下運動させることができるので、簡易な装置構成で高い消去効果を得られるという利点がある。
【００１５】
本発明の自動消去機能を備える黒板では、表面に黒板消去部材を有するローラ部材を回転とともにその長手方向に往復運動させながら、黒板表面上を当該ローラ部材と垂直方向に移動させることにより、ローラ部材表面が黒板表面上を十分に摺動するので、黒板表面に付着したチョーク粉を十分に拭い取ることが可能である。
また、特別な駆動手段を必要とせずにローラ部材を上下運動させることができるので、簡易な装置構成で高い消去効果を得られるという利点がある。
【発明を実施するための最良の形態】
【００１６】
以下、添付図面を参照しながら、本発明の黒板消去装置及び自動消去機能を備える黒板を実施するための最良の形態を詳細に説明する。図１〜図７は、本発明の実施の形態を例示する図であり、これらの図において、同一の符号を付した部分は同一物を表わし、基本的な構成及び動作は同様であるものとする。
【００１７】
[１] 黒板消去装置の構成
図１は、本発明の一実施形態に係る黒板消去装置の全体構成を概略的に示す図である。
図１に示す黒板消去装置は、図中水平方向に延伸するレール部材１１０及び１２０と、垂直方向に延伸する固定部材１３０と、垂直方向に延伸するワイパユニット１４０とから構成されている。
レール部材１１０及び１２０は水平方向に溝を有しており、この溝にスライダ部材が係合することにより、スライダ部材が水平方向に滑動自在に保持される。固定部材１３０はその両端付近においてレール部材１１０及び１２０の端部付近と固定されており、レール部材１１０及び１２０を固定支持する役割を果たす。ワイパユニット１４０は両端部にスライダ部材１４２及び１４４を有しており、スライダ部材１４２及び１４４がそれぞれレール部材１１０及び１２０の溝に係合することにより、ワイパユニット１４０が水平方向に滑動自在な状態で本装置に保持されている。
【００１８】
図１において、ワイパユニット１４０の下部は、上部よりも紙面手前側に位置するように構成されている。
図示しないが、ワイパユニット１４０は、スライダ部材１４２及び１４４がレール部材１１０及び１２０上を水平方向に移動できるよう駆動する手段を有している。あるいは、レール部材１１０及び１２０がそのような駆動手段を備えていてもよい。
【００１９】
図２は、図１に示す黒板消去装置の裏側を示した図である。
図２において、ワイパユニット１４０は大きく開口しており、その開口の内側において、円柱形のローラ部材１５０と、ローラ部材１５０を上下から軸支する上部シャフト１５２及び下部シャフト１５４とを有している。また、上記したように、ワイパユニット１４０の下部は、上部よりも紙面奥側に位置するように構成されているが、上記のローラ部材１５０、上部シャフト１５２及び下部シャフト１５４は全て、ワイパユニット１４０の上側の内部に配置されている。
【００２０】
ローラ部材１５０の円柱外面は、黒板表面に付着したチョーク粉を拭き取り可能な部材、例えば、スポンジの表面をラシャ状の布で覆った部材からなる。
上部シャフト１５２は、ローラ部材１５０を軸回りに回転駆動するモータ（図示せず）を内蔵している。
図３は、この上部シャフト１５２とローラ部材１５０との係合部分を示す部分拡大図である。図３に示すように、上部シャフト１５２内の軸心部材１５３がローラ部材１５０軸心部の孔に係合して固定されるようになっており、上部シャフト１５２のモータによる回転駆動が軸心部材１５３を通じてローラ部材１５０に伝達される。
【００２１】
図３に示すように、ローラ部材１５０上端の周囲には、複数のスライドカム１５６が形成されており、上部シャフト１５２の軸心部材１５３の周囲には、軸心部材１５３を覆う同軸の円筒状のカム受け部材１５８が形成されている。カム受け部材１５８の端縁は図示するようになだらかな波型の形状を有しており、この端縁がローラ部材１５０上端のスライドカム１５６と係合してこれを支持するようになっている。
【００２２】
図４は、下部シャフト１５４とローラ部材１５０との係合部分を示す部分拡大図である。
図４に示すように、下部シャフト１５４内の軸心部材１５５がローラ部材１５０軸心部の孔に非固定的に係合するようになっており、ローラ部材１５０は下部シャフト１５４に対して回転可能である。
ローラ部材１５０下端の周囲には、複数のスライドカム１５６が形成されており、下部シャフト１５４の軸心部材１５５の周囲には、軸心部材１５５を覆う同軸の円筒状のカム受け部材１５８が形成されている。カム受け部材１５８の端縁は図示するようになだらかな波型の形状を有しており、この端縁がローラ部材１５０下端のスライドカム１５６と係合してこれを支持するようになっている。
【００２３】
尚、上部シャフト１５２及び下部シャフト１５４のカム受け部材１５８は、互いに対応する波型形状となっており、ローラ部材１５０の上端及び下端におけるスライドカム１５６は、この波型形状のピッチと一致した間隔で複数配置されている。これにより、ローラ部材１５０の上端及び下端におけるスライドカム１５６が常に上部シャフト１５２及び下部シャフト１５４のカム受け部材１５８にガイドされて移動できるようになっている。このようにすることにより、稼動中のローラ部材の動作が安定するという利点がある。
【００２４】
図５は、下部シャフト１５４とローラ部材１５０の係合状態を示す部分拡大図である。である。上部シャフト１５２とローラ部材１５０との係合状態も同様であるので、図示を省略する。
このように、上部シャフト１５２及び下部シャフト１５４のカム受け部材１５８の波型形状の端縁にローラ部材１５０上端及び下端のスライドカム１５６が支持された状態でローラ部材１５０が回転駆動されると、ローラ部材１５０上端及び下端においてスライドカム１５６がカム受け部材１５８端縁にガイドされて、ローラ部材１５０が上下に移動しながら回転することとなる。
【００２５】
尚、カム受け部材１５８の上端縁の波型形状に関しては、ローラ部材１５０表面の材質や、ローラ部材１５０の水平方向の移動速度などを考慮して、最適の消去効果が得られるように適宜設計することができる。好ましい実施例では、カム受け部材１５８の端縁の波型形状の上端及び下端の落差は約８ｍｍである。また、波型形状に限らず、ローラ部材１５０が回転時に上下移動し得るような任意の形状にすることができる。
【００２６】
図６は、上記した本実施形態の黒板消去装置のカバー部材の構成を示す図である。
このように、ローラ部材１５０を覆うカバー部材１６０の内側面には、ローラ面に付着したチョーク粉を清掃するためのブラシが固定されている。このように、黒板消去動作を行いながら、一方でローラ部材をブラシ清掃することにより、本実施形態の黒板消去装置は消去性能を効率良く維持することが可能である。
【００２７】
図７は、上記した本実施形態の黒板消去装置を黒板に適用する態様を例示する図である。
図７に示すように、本実施形態の黒板消去装置は、黒板を覆うようにして設置することができる。設置対象となる黒板の寸法形状に合わせて、黒板消去装置の縦横寸法（すなわちレール部材１１０及び１２０、固定部材１３０、ワイパユニット１４０の長さ寸法）、ワイパユニット１４０のローラ部材１５０の寸法などを適宜設計することが可能である。
ここで、上記したように、ワイパユニット１４０の下部は、上部よりもワイパユニット１４０の下部は、上部よりも紙面手前側に位置するように構成されているので、ワイパユニット１４０が左右に移動する際に、粉受けや、粉受け上に置かれた黒板消しなど接触することはない。
【００２８】
尚、本実施形態の黒板消去装置を黒板に適用する形態は図７に示すものに限られるわけではない。黒板の形状、性質、利用形態などに応じて、黒板消去装置による消去作業が妨げられない範囲で、様々な適用形態が可能である。また、黒板消去装置を黒板と一体形成して自動消去機能付き黒板とすることもできる。
【００２９】
[２] 黒板消去装置の動作
以上説明した本実施形態の黒板消去装置による黒板消去の動作について説明する。
黒板消去装置の非動作時には、図７に示すように、ワイパユニット１４０が装置の左端に位置している（あるいは右端でもよい）。操作者が消去操作を行うと、ワイパユニット１４０が駆動されてレール部材１１０及び１２０上を右側に向かって移動するとともに、図２に示すローラ部材１５０が上部シャフト１５２のモータによって回転駆動されるとともに上下移動し、ローラ部材１５０表面の消去部材が黒板表面を拭うようにして黒板の清掃が行われる。ローラ部材１５０表面の消去部材により拭われたチョーク粉等は、下方に落下して黒板の粉受けに収容される。
尚、ローラ部材１５０表面の消去部材を定期的に清掃すれば、黒板の消去効果を保つことが可能である。例えば、ワイパユニット１４０においてローラ部材１５０を着脱可能にしておけば清掃が容易となる。
【００３０】
以上、本発明の黒板消去装置及び自動消去機能を備える黒板について、具体的な実施の形態を示して説明したが、本発明はこれらに限定されるものではない。当業者であれば、本発明の要旨を逸脱しない範囲内において、上記各実施形態における固定部材の構成及び機能に様々な変更・改良を加えることが可能である。
【００３１】
例えば、上記の実施形態では、一対のレール部材を有する黒板消去装置について説明したが、本発明の黒板消去装置はこれに限定されるものではなく、例えば、１つのレール部材のみを用いた黒板消去装置とすることも可能である。
また、上記の実施形態では、２つのレール部材を固定する固定部材を有する黒板消去装置について説明したが、本発明の黒板消去装置はこれに限定されるものではなく、例えば、固定部材を有さず、各レール部材が直接黒板（あるいはその周囲の壁面）に固定されるように構成した黒板消去装置とすることも可能である。
【図面の簡単な説明】
【００３２】
【図１】本発明の一実施形態に係る黒板消去装置の全体構成を概略的に示す図である。
【図２】図１に示す黒板消去装置を裏側から示した図である。
【図３】図２に示す上部シャフトとローラ部材との係合部分を示す部分拡大図である。
【図４】図２に示す下部シャフトとローラ部材との係合部分を示す部分拡大図である。
【図５】図２及び図４に示す下部シャフトとローラ部材の係合状態を示す部分拡大図である。
【図６】図１に示す黒板消去装置のカバー部材の構成を示す図である。
【図７】図１〜図６に示す実施形態における黒板消去装置を黒板に適用する態様を例示する図である。
【符号の説明】
【００３３】
１１０    レール部材
１２０    レール部材
１３０    固定部材
１４０    ワイパユニット
１４２    スライダ部材
１４４    スライダ部材
１５０    ローラ部材
１５２    上部シャフト
１５３    軸心部材
１５４    下部シャフト
１５５    軸心部材
１５６    スライドカム
１５８    カム受け部材
１６０    カバー部材
１６２    ブラシ
【図１】
2010005865.tif 000003
【図２】
2010005865.tif 000004
【図３】
2010005865.tif 000005
【図４】
2010005865.tif 000006
【図５】
2010005865.tif 000007
【図６】
2010005865.tif 000008
【図７】
2010005865.tif 000009